(57)【要約】【課題】  自動充填機で自動的に組み上げ及び充填を行う際の妨げとならない包装用箱用仕掛シート及び内容物の充填方法の提供。【解決手段】  箱本体Ｘの四方を封じる四側面を順に連設してなる側面部、当該側面部の異なる側端の縁に沿ってそれぞれ延出する糊代部１及び短冊部２、並びに前記側面部で仕切られる箱本体Ｘの開口部Ｙを封じる蓋部及び底部を具備する展開シートからなり、前記糊代部１を前記側面部の反対側縁部裏面に貼着し、前記糊代部１及び短冊部２と側面部の境界、並びに前記側面部における隣接二面組の境界に折り目を形成し、両折り目を挟む両側の側面部並びに前記糊代部１及び短冊部２を折り重ね偏平化してなる包装用箱用仕掛シート。【選択図】      図１
2014201314.tif 000002
【特許請求の範囲】
【請求項１】
箱本体の四方を封じる四側面を順に連設してなる側面部、当該側面部の異なる側端の縁に沿ってそれぞれ延出する糊代部及び短冊部、並びに前記側面部で仕切られる箱本体の開口部を封じる蓋部及び底部を具備する展開シートからなり、
前記糊代部を前記側面部の反対側縁部裏面に貼着し、
前記糊代部及び短冊部と側面部の境界、並びに前記側面部における隣接二面組の境界に折り目を形成し、両折り目を挟む両側の側面部並びに前記糊代部及び短冊部を折り重ね偏平化してなることを特徴とする包装用箱用仕掛シート。
【請求項２】
前記請求項１に記載の包装用箱用仕掛シートの相隣接する前記糊代部及び短冊部並びに四側面の境界においてその両側に位置する面をそれぞれ外側へ突出する様に屈曲させ箱本体を形成する展開工程と、
前記箱本体へその開口部から内容物を装填する充填工程と、
充填工程を経た箱本体を封鎖する封鎖工程を経ることを特徴とする内容物充填方法。
【発明の詳細な説明】
【技術分野】
【０００１】
本発明は、例えば、医薬品等を収納するための包装用箱用展開シート、及びそれに予備加工を施した仕掛シート、並びに当該仕掛シートを利用した内容物充填方法に関する。
【背景技術】
【０００２】
従来、医薬品等を収納するための包装用箱は、通常、一枚又は複数枚の展開シートから折り曲げ成形によって形作られており、機械を用いて自動的に内容物を充填する際には、当該機械に掛ける前に、前記展開シートに対する予備成形が施されることが少なくない。
【０００３】
一方、医薬品等の管理を確実に且つ容易にするための便宜として、包装用箱には、バーコードが印刷されたものがあり、なかには、当該医薬品等の情報を文字やバーコードで記録したタグが設けられているものもある。
【０００４】
前記タグは、包装用箱の側面の一部、蓋等の封止片、又は左右側面に付設されたフラップを利用して設けられているものが多いが、開封して取り出した医薬品等に輪ゴム等で付する利用法においては、容易に外れない短冊状のものが好ましく、開封前において表示機能を果たす上でも、箱の外側から確認できる態様で付設されていることが望ましい場合も多い（例えば、下記特許文献１参照）。
【先行技術文献】
【特許文献】
【０００５】
【特許文献１】特開２０１２−４６２４１号公報
【発明の概要】
【発明が解決しようとする課題】
【０００６】
しかしながら、上記従来の技術で用いられる展開シートの様に、情報が記録された短冊部が、箱本体を形作る側面に覆われて箱の内部に収容されない様に連設され、充填作業前の組み上げの際、形成される箱本体から大きく張り出す様に立体化する可能性の高い展開シートを用いたのでは、前記短冊部が、展開シートの立体化に伴って起立しない（箱本体の表面に寄り添わない）等のために、自動充填機にかけて自動的に組み上げ更に内容物の充填を行う際の大きな妨げとなるという問題がある。
【０００７】
本発明は、上記実情に鑑みて為されたものであって、自動充填機で自動的に組み上げ及び充填を行う際の妨げとならない包装用箱用仕掛シート及び内容物の充填方法の提供を目的とする。
【課題を解決するための手段】
【０００８】
上記課題を解決すべく為された本発明による包装用箱用仕掛シートは、箱本体の四方を封じる四側面を順に連設してなる側面部、当該側面部の異なる側端の縁に沿ってそれぞれ延出する糊代部及び短冊部、並びに前記側面部で仕切られる箱本体の開口部を封じる蓋部及び底部を具備する展開シートからなり、前記糊代部を前記側面部の反対側縁部裏面に貼着し、前記糊代部及び短冊部と側面部の境界、並びに前記側面部における隣接二面組の境界に折り目を形成し、両折り目を挟む両側の側面部並びに前記糊代部及び短冊部を折り重ね偏平化してなることを特徴とする。
【０００９】
上記課題を解決すべく為された本発明による包装用箱用仕掛シートは、上記包装用箱用仕掛シートの相隣接する前記糊代部及び短冊部並びに四側面の境界においてその両側に位置する面をそれぞれ外側へ突出する様に屈曲させ箱本体を形成する展開工程と、前記箱本体へその開口部から内容物を装填する充填工程と、充填工程を経た箱本体を封止する封鎖工程を経ることを特徴とする内容物充填方法。
【発明の効果】
【００１０】
本発明による包装用箱用仕掛シート及び内容物充填方法によれば、情報が記録された短冊部が、箱本体を形作る側面に覆われて箱の内部に収容されない様に連設されたとしても、展開シートの立体化に伴って、側面部の一部に寄り添いながら起立することにより、充填作業前の組み上げの際に、形成される箱本体から大きく張り出す様に立体化することもなく、自動充填機で自動的に組み上げ、更には充填を行う際の大きな妨げとなるということもない。
その結果、特殊な充填機に掛けない限り自動充填が困難であるという従来問題も解消される。
【図面の簡単な説明】
【００１１】
【図１】本発明による包装用箱用仕掛シート及び内容物充填方法の要部の一例を示す（Ａ）：平面図及び（Ｂ）：開口部側から見た断面図である。
【図２】従来の包装用箱用仕掛シート及び内容物充填方法の要部の一例を示す（Ａ）：平面図及び（Ｂ）：開口部側から見た断面図である。
【図３】本発明による包装用箱用仕掛シートとなる展開シートの一例を示す正面図、平面図、及び背面図である。
【図４】本発明による包装用箱用仕掛シートとなる展開シートの一例を示す右側面図及び左側面図である。
【図５】本発明による包装用箱用仕掛シートから組み上げられる包装用箱の一例を示す六面図である。
【発明を実施するための形態】
【００１２】
以下、本発明による包装用箱用仕掛シートの実施の形態を、それを用いた内容物充填方法の実施の形態と共に詳細に説明する。
図１に示す包装用箱用仕掛シートは、箱本体Ｘの四方を封じる四側面を順に連設してなる側面部、当該側面部の異なる側端の縁に沿ってそれぞれ延出する糊代部１及び短冊部２、並びに前記側面部で仕切られる箱本体Ｘの開口部Ｙを封じる蓋部及び底部を具備する展開シートを組み立ててなる。
【００１３】
＜展開シート＞
図３及び図４に示す展開シートは、四方を封じる後側面３、左側面４、前側面５、及び右側面６を順に連設し、更に、前記後側面３の側縁に沿って内容物情報を記載する短冊部２を備え、前記右側面６の側縁に沿って後側面３の右側縁部裏面に貼着する糊代部１を延設したものである。
前記短冊部２と後側面３の境界は、前記短冊部２をタグとして用いる際に、容易に、且つ見た目良く分離出来る様に、切込みを断続的に設けた分離線１７を備える。
【００１４】
前記前側面５は、前記側面部で仕切られる箱本体Ｘの開口部Ｙを封じるために、前記前側面５の上下端縁に沿ってそれぞれ前封止片７，８を備えると共に、前記前側面５の上縁から前封止片７を分断する開封用破断線９を備える。
前記開封用破断線９は、前記前側面５と前封止片７との境界線に沿う開封線ｘを備えると共に、当該開封線ｘの中間部から前側面の中央に向けて指先サイズで方形状に膨出する突入部ｙを備える。
【００１５】
一方、前記後側面３は、前記側面部で仕切られる箱本体Ｘの開口部Ｙを封じるために、前記後側面３の上下端縁に沿って後封止片１０，１１を備える。
上位の前記後封止片１０は、前記側面部で仕切られる箱本体Ｘの開口部Ｙに前記後側面３に沿って差し入れる差込部１２を、前記後封止片１０の端縁に沿って備える。
当該例における前記差込部１２は、前記箱本体Ｘの開口部Ｙへの差し入れを容易にすべく、前記差込部１２の先端部を滑らかな先細りとし、当該差込部１２が容易に離脱しない様に、一定の切込み１３を、当該差込部１２と後封止片１０との境界線上の端部に備える。
【００１６】
前記左右側面４，６は、その上下端縁に沿って開口部Ｙに向けて屈曲する左右フラップ１４，１４，１５，１５を備える。
各フラップ１４，１４，１５，１５は、略台形状を呈し、前記前側面５及び後側面３の幅に対して、各々略半分に至る長さを有する。特に、前記左右側面４，６の上端縁に沿って設けた前記左右フラップ１４，１４にあっては、その前方基部に、前記切込み１３が引っ掛かる干渉部１６を備える（図３参照）。
【００１７】
＜組み立て＞
前記展開シートは、自動充填機の動作を簡素にすべく、予め、所定の予備加工を施し、仕掛シートＺを形成する場合がある。
この例では、前記展開シートの前記糊代部１を前記後側面３の右側縁部裏面に貼着し、前記糊代部１及び短冊部２と側面部各々の境界、並びに前記側面部における隣接二面組の境界、即ち、前記側面部の左右の端から各々二面までを一組とする二面組の境界に折り目を形成し、両折り目を挟んだ両側に位置する側面部並びに前記糊代部１及び短冊部２を折り重ね偏平化することで、自動充填機に装填する際の予備加工を施した前記仕掛シートＺを形成する（図１（Ｂ）参照）。
【００１８】
前記仕掛シートＺの展開（立体化）は、それを前記自動充填機に掛け、前記仕掛シートＺの相隣接する前記糊代部１及び短冊部２並びに四側面（後側面３、左側面４、前側面５、及び右側面６）の境界においてその両側に位置する面をそれぞれ外側へ突出する直角に屈曲させ箱本体Ｘを形成する展開工程と、前記箱本体Ｘへその開口部Ｙから内容物を装填する充填工程と、前記充填工程を経た箱本体Ｘを、そのフラップ１４，１５及び前後封止片７，１０，８，１１で開口部を封じることを以って封鎖する封鎖工程を経る。これによって、自動的に内容物が充填され封鎖された包装用箱が完成する。
【００１９】
前記展開工程は、前記仕掛シートＺを、その後側面３及び右側面６が加工面（自動充填機のテーブル）に接する向きで配置し、前記短冊部２と後側面３との境界部を定位置に支持しつつ、前記右側面６と前側面５の境界部分を前記支持点の方向斜め上へ押し挙げ、相隣接する前記四側面が相互に直角を形成するまで開口部Ｙを広げ、直方体状の箱本体Ｘを形作ると共に、その状態を維持するものである（図１参照）。
【００２０】
その際、前記短冊部２は、偏平な前記仕掛シートＺとして前記左側面４上に平伏した状態から、当該左側面４の起立に伴い寄り添う形で一緒に起立を促されるので、前記短冊部２を有しない箱用の自動充填機に掛ける際にも、当該展開工程、充填工程及び封鎖工程における支障とはならない。
【００２１】
内容物の充填を終えた箱本体Ｘは、前記左側面４及び右側面６の端縁から延出する左右フラップ１４，１４，１５，１５を開口部Ｙに向けて略直角に折り前記差込部１２を前記箱本体Ｘの前記開口部Ｙへ差し入れると共に、前記後側面３の上下端縁から延出する前記後封止片１０，１１及び前記前側面５の端縁から延出する前封止片７，８を、前記左右フラップ１４，１４，１５，１５の上に向けて略直角に折り重ね、前記後封止片１０，１１の表面に、前記前封止部７，８の先端部を貼着して箱本体Ｘを封鎖する（図５参照）。
【００２２】
＜開封＞
上記の如く封鎖された包装用箱は、前記前側面５の上端部に設けられた前記突入部ｙを指先で押し入れ、更に、引き上げることによって、前記前側面５と上位の前記前封止片７との境界に設けた開封用破断線９を分断し、当該前封止片７諸共に後封止片１０が後方へ起立することで開封される。
【符号の説明】
【００２３】
ｘ  開封線，ｙ  突入部，
Ｘ  箱本体，Ｙ  開口部，Ｚ  仕掛シート，
１  糊代部，
２  短冊部，
３  後側面，４  左側面，５  前側面，６  右側面，
７  前封止片（上），８  前封止片（下），
９  開封用破断線，
１０  後封止片，（上），１１  後封止片（下），
１２  差込部，１３  切込み，
１４  フラップ（上），１５  フラップ（下），
１６  干渉部，
【図１】
2014201314.tif 000003
【図２】
2014201314.tif 000004
【図３】
2014201314.tif 000005
【図４】
2014201314.tif 000006
【図５】
2014201314.tif 000007